(57)【要約】【課題】高さの調整作業がし易い浴室ユニットの床パンの支持構造を提供する。【解決手段】  床パンＰと壁パネルＷと天井パネルＣと浴槽Ｂとからなる浴室ユニットの床パンの支持構造である。床パンＰの底面部１に配管施工用開口部１０を形成し、前記床パンＰの底面部１の配管施工用開口部１０の直下に配置されて該配管施工用開口部１０の周縁部を支持すると共に配管Ｈを挿通する配管挿通口を形成した支持部材２と、床下地上に載置されると共に前記支持部材２に相対的に上下可動となるように螺合されるアジャスタボルト３と、支持部材２と螺合するアジャスタボルト３を固定するロックナット４とからなる高さ調整脚部５を設けた。【選択図】        図１
2006152573.tif 000002
【特許請求の範囲】
【請求項１】
床パンと壁パネルと天井パネルと浴槽とからなる浴室ユニットの床パンの支持構造であって、床パンの底面部に配管施工用開口部を形成し、前記床パンの底面部の配管施工用開口部の直下に配置されて該配管施工用開口部の周縁部を支持すると共に配管を挿通する配管挿通口を形成した支持部材と、床下地上に載置されると共に前記支持部材に相対的に上下可動となるように螺合されるアジャスタボルトと、支持部材と螺合するアジャスタボルトを固定するロックナットとからなる高さ調整脚部を設けて成ることを特徴とする浴室ユニットの床パンの支持構造。
【請求項２】
支持部材を上方に開口する略コ字状に形成し、その底片に貫通孔を穿孔すると共にナットを固定してアジャスタボルトが螺合する螺合孔を形成して成ることを特徴とする請求項１記載の浴室ユニットの床パンの支持構造。
【請求項３】
支持部材と床パンとの間に中間部材を設けて成ることを特徴とする請求項１又は２記載の浴室ユニットの床パンの支持構造。
【請求項４】
支持部材にアジャスタボルトが螺合される螺合孔から床パンを支持する床パン支持部までの高さを調整可能とする高さ調整機構を設けて成ることを特徴とする請求項１又は２記載の浴室ユニットの床パンの支持構造。
【請求項５】
支持部材に配管の位置決めを行う配管位置決め部を設けて成ることを特徴とする請求項１乃至４のいずれかに記載の浴室ユニットの床パンの支持構造。
【発明の詳細な説明】
【技術分野】
【０００１】
本発明は、浴室ユニットの床パンの支持構造に関するものである。
【背景技術】
【０００２】
従来から、浴室ユニットの床パンを設置するにあたり、高さ調整自在な脚部を介して床下地上に床パンを設置するものが知られている（例えば特許文献１参照）。
【０００３】
これは、床スラブのような床下地上にアジャスタボルトからなる脚部を設置し、このアジャスタボルトを床パンに設けた雌ねじ部に螺合して高さ調整を行ったり、あるいはアジャスタボルトに支持部材を螺合して脚部を構成し、床下地上に設置したアジャスタボルトに対して高さ調整した支持部材に床パンを載置したりするものである。
【０００４】
高さ調整自在な脚部は床パンの下側の床下地上に設置され、脚部の床パンを仮配置して床パンの底面部に設けた工具挿通用の孔を介して工具を挿通して床パンの下側の脚部の高さ調整を行うものである。
【０００５】
このような従来の浴室ユニットの床パンの支持構造にあっては、床パンの底面部に設けられる工具挿通用の孔は平面視において脚部に支持される部分の側方にずれた位置に設けてあり、また、この工具挿通用の孔は小さいため、床パンの下側に位置する脚部の高さ調整作業がし難いものであった。
【特許文献１】特開平０９−２４２１５０号公報
【発明の開示】
【発明が解決しようとする課題】
【０００６】
本発明は上記の従来の問題点に鑑みて発明したものであって、その目的とするところは、高さの調整作業がし易い浴室ユニットの床パンの支持構造を提供することを課題とするものである。
【課題を解決するための手段】
【０００７】
上記課題を解決するために本発明の浴室ユニットの床パンの支持構造は、床パンＰと壁パネルＷと天井パネルＣと浴槽Ｂとからなる浴室ユニットの床パンの支持構造であって、床パンＰの底面部１に配管施工用開口部１０を形成し、前記床パンＰの底面部１の配管施工用開口部１０の直下に配置されて該配管施工用開口部１０の周縁部を支持すると共に配管Ｈを挿通する配管挿通口２０を形成した支持部材２と、床下地上に載置されると共に前記支持部材２に相対的に上下可動となるように螺合されるアジャスタボルト３と、支持部材２と螺合するアジャスタボルト３を固定するロックナット４とからなる高さ調整脚部５を設けて成ることを特徴とするものである。このような構成とすることで、作業者が床パンＰの上側から配管施工用開口部１０を介して手及び工具を床パンＰの下側に挿入して直下に位置するアジャスタボルト３を回転させて高さ調整することが可能となって、高さ調整作業がし易くなるものである。
【０００８】
また、請求項２の発明は、請求項１の発明において、支持部材２を上方に開口する略コ字状に形成し、その底片２２に貫通孔２４を穿孔すると共にナット２５を固定してアジャスタボルト３が螺合する螺合孔２６を形成して成ることを特徴とするものである。このような構成とすることで、支持部材２に直接ねじ孔を設けることなく容易に螺合孔２６を形成することができる。
【０００９】
また、請求項３の発明は、請求項１又は２の発明において、支持部材２と床パンＰとの間に中間部材８を設けて成ることを特徴とするものである。このような構成とすることで、床下深さが大幅に深くて床パンＰの床下地からの高さを大幅に高くする際、アジャスタボルト３で高さ調整できる範囲以上に高くすることができ、また、アジャスタボルト３を回転させたりするような手間がかからず中間部材８を取付けるだけで高さ調整作業を行えるものである。
【００１０】
また、請求項４の発明は、請求項１又は２の発明において、支持部材２にアジャスタボルト３が螺合される螺合孔２６から床パンＰを支持する床パンＰ支持部までの高さを調整可能とする高さ調整機構を設けて成ることを特徴とするものである。このような構成とすることで、床下深さが大幅に深くて床パンＰの床下地からの高さを大幅に高くする際、アジャスタボルト３で高さ調整できる範囲以上に高くすることができ、これにあたって別部材を取付ける必要がないものである。
【００１１】
また、請求項５の発明は、請求項１乃至４のいずれかの発明において、支持部材２に配管Ｈの位置決めを行う配管位置決め部２８を設けて成ることを特徴とするものである。このような構成とすることで、配管Ｈの位置決め及び固定ができると共に、給湯の際の配管Ｈの暴れを防止することができる。
【発明の効果】
【００１２】
本発明においては、床パンの底面部の配管施工用開口部の直下に高さ調整脚部を配置するため、作業者が床パンの上側から手及び工具を余裕をもって挿通可能な配管施工用開口部を介して手及び工具を床パンの下側に挿入して直下に位置するアジャスタボルトを回転させて高さ調整することが可能となって、高さ調整作業がし易くなるものである。
【発明を実施するための最良の形態】
【００１３】
以下、本発明を添付図面に示す実施形態に基いて説明する。
【００１４】
浴室ユニットＹは、図２、図３に示すように、床パンＰと、壁パネルＷと、天井パネルＣと、浴槽Ｂとで主体が構成される。
【００１５】
床パンＰは、略水平の矩形状をした底面部１１の周縁から立上片１１を形成すると共に、この立上片１１の上端から外側に載置部１２を連設したもので、この床パンＰの載置部１２に壁パネルＷを載置して床パンＰの四周に壁パネルＷが立設される。
【００１６】
壁パネルＷは、表面板部とその両側に設けられる側縦枠部とで主体が構成され、側縦枠部には隣接する壁パネルＷ同士を連結するための連結部が設けてある。この壁パネルＷは、撓み強度（剛性）を高めて自己保形性を持たせることで自立可能に形成してある。
【００１７】
天井パネルＣは、下方に開口する略箱状をしたもので、上記床パンＰの四周に立設される壁パネルＷの上端部に被嵌するようにして載置される。
【００１８】
上記の床パンＰは床スラブのような床下地上に設置され、この床パンＰの四周に壁パネルＷが立設されると共に壁パネルＷの上端部に天井パネルＣを載置して浴室ユニットＹの外殻が形成されるが、本発明にあたっては、床パンＰに配管施工用開口部１０を設けると共に、この配管施工用開口部１０を利用して床パンＰを高さ調整脚部５を介して床下地上に設置するものであり、以下に説明する。
【００１９】
床パンＰには、底面部１の四隅に配管施工用開口部１０が形成してある。配管施工用開口部１０は縦横がそれぞれ略２００ｍｍ、略１５０ｍｍの矩形状をしたもので、配管Ｈだけでなく工具や作業者の手が余裕をもって挿通されるように形成してある。そして、本発明においては、この配管施工用開口部１０の直下に高さ調整脚部５が配置される。
【００２０】
高さ調整脚部５は、図１に示すように、床パンＰを支持する支持部材２２と、前記支持部材２に相対的に上下可動となるように螺合されるアジャスタボルト３と、アジャスタボルト３を支持部材２に固定するロックナット４とで構成される。支持部材２は、両側の側片２１及び底片２２からなる上方に開口する断面略コ字状（又は略Ｕ字状又は略Ｖ字状）に形成され、両側の側片２１の上端部からは外側に向けて鍔片２３が連設される。鍔片２３の上面には、床パンＰの配管施工用開口部１０の周縁部の下面が載置されるもので、この床パンＰの配管施工用開口部１０の周縁部の下面が前記支持部材２に支持されて高さ調整脚部５が取り付けられる取付部１３となっている。本実施形態では、床パンＰの底面部１の取付部１３の周囲下面に下向きリブが突設してあり、床パンＰを高さ調整脚部５の支持部材２の鍔片２３にて支持する際に鍔片２３が取付部１３に対して位置決めされてずれないようにしてある。また、床パンＰの底面部１の配管施工用開口部１０の周縁部の上面は、この配管施工用開口部１０を閉塞する蓋６（後述する）を取り付ける蓋取付部１４となっており、この蓋取付部１４に固着具１４ａにて蓋６を固着するための固着具挿通孔が形成してある。蓋取付部１４の周囲上面にも上向きリブが突設してあり、蓋６が蓋取付部１４に対して位置決めされてずれないようにしてある。
【００２１】
高さ調整脚部５の支持部材２の側片２１には、支持部材２の内外に配管Ｈを挿通可能にする配管挿通口２０としての挿通用開口２０ａが形成してある。支持部材２の底片２２には、アジャスタボルト３が螺合される螺合孔２６が形成してある。本実施形態では、底片２２に貫通孔２４を穿孔すると共にこの貫通孔２４にナット２５を溶接にて固定して螺合孔２６が形成してあり、これにより支持部材２に直接ねじ孔を設けることなく容易に螺合孔２６を形成することができる。
【００２２】
アジャスタボルト３は、下端部が床下地上に載置される土台部３１となっており、土台部３１よりも上側の軸部周囲には螺合孔２６に螺合する雄ねじが形成してある。また、アジャスタボルト３の上端部には、上方より工具が挿入可能な工具溝３２が形成してある。
【００２３】
このような床パンＰの床下地への設置作業について説明する。
【００２４】
まず、床下地の床パンＰ設置部分の四隅部にアジャスタボルト３を載置して高さ調整脚部５を立設し、高さ調整脚部５の支持部材２の鍔片２３上面に床パンＰの配管施工用開口部１０の周縁部の下面の取付部１３を載置して固着具１３ａにより固定する。次に、床パンＰの配管施工用開口部１０の上側より作業者が工具を挿通してアジャスタボルト３の上端部に形成した工具溝３２に工具を嵌め込み、アジャスタボルト３を回転させて該アジャスタボルト３を支持部材２に対して相対的に上下動させることで、支持部材２に載置されている床パンＰの床下地からの高さを調整する。これを四隅の高さ調整脚部５について行って床パンＰのレベル出しを行う。
【００２５】
そして、床パンＰの下側の配管Ｈを床パンＰの上側に引き出す作業を行う。配管Ｈは、床パンＰの配管施工用開口部１０を介して床パンＰの底面部１の上下に挿通され、床パンＰの上側の配管Ｈは浴槽Ｂ等に接続されると共に、床パンＰの下側の配管Ｈは高さ調整脚部５の支持部材２から配管挿通口２０を介して外側に導出されて給水管等に接続される。これにあたって配管Ｈは、支持部材２の両側片２１間の配管挿通口２０から側方に導出されるか（図６参照）、あるいは側片２１に形成した挿通用開口２０ａから導出される（図４、図５参照）。そして、床パンＰの配管施工用開口部１０に防水部材７を介して蓋６（配管挿通用の蓋６ａ）を取付けて配管施工用開口部１０を閉塞するものである。
【００２６】
防水部材７は、図４、図５に示すように、平面視において床パンＰの配管施工用開口部１０よりも大きい略矩形状をした軟質のゴム成形品であり、中央部に段部７１を突出形成すると共に、この段部７１の突出面から上方に筒状突起部７２を形成し、該筒状突起部７２内が配管Ｈが挿通される配管Ｈ挿通孔となっている。配管挿通用の蓋６ａは、平面視において防水部材７と同様の形状に形成してあり、中央部には防水部材７の段部７１が挿通される配管Ｈ挿通開口６０が形成してある。
【００２７】
この防水部材７と配管挿通用の蓋６ａは、図４、図５に示すように、まず防水部材７の配管Ｈ挿通孔を床パンＰの配管施工用開口部１０から上方に突出する配管Ｈに挿通させて床パンＰの蓋取付部１４に載置し、配管挿通用の蓋６ａをその配管Ｈ挿通開口６０を前記配管Ｈに挿通させて防水部材７上に載置し、固着具１４ａによって防水部材７と配管挿通用の蓋６ａとを床パンＰに固定する。そして次に、防水部材７の筒状突起部７２内に挿通されている配管Ｈの外面に防水用シリコンを塗布し、防水部材７の筒状突起部７２をその外面からインシュロックにて締めることで前記防水用シリコンを塗布した配管Ｈの外面と筒状突起部７２とを圧接してシールを行う。
【００２８】
また、床パンＰの配管施工用開口部１０に配管Ｈを挿通しない場合には、図１に示すように、全閉塞用の蓋６ｂを床パンＰの蓋取付部１４に載置し、固着具１４ａによって床パンＰに固定するものである。
【００２９】
なお本実施形態では、配管施工用開口部１０に配管Ｈを挿通する浴槽Ｂ側の床パンＰ１の四つの配管施工用開口部１０のうち二つに配管挿通用の蓋６ａを取り付け、残りの二つの配管施工用開口部１０と洗い場側の床パンＰ２の配管施工用開口部１０には全閉塞用の蓋６ｂを取り付けてあるが、洗い場側の床パンＰ２の配管施工用開口部１０に配管Ｈを挿通して配管挿通用の蓋６ａを取り付けても勿論よく、配管施工用開口部１０に取り付けられる配管挿通用の蓋６ａと全閉塞用の蓋６ｂの組み合わせは限定されない。
【００３０】
また、図６に示すように、支持部材２に配管Ｈの位置決めを行う配管位置決め部２８を設けてもよい。図６に示す配管位置決め部２８は、側片２１の一部を内側に切り起こして形成してあり、切り起こされた部分の開口は配管Ｈが挿通される挿通用開口２０ａとしてある。これにより、配管Ｈの位置決め及び固定ができると共に、給湯の際の配管Ｈの暴れを防止することができる。
【００３１】
以上のような構成の浴室ユニットＹの床パンＰの支持構造によれば、床パンＰの底面部１の配管施工用開口部１０の直下に高さ調整脚部５を配置するため、作業者が床パンＰの上側から配管施工用開口部１０を介して手及び工具を床パンＰの下側に挿入して直下に位置するアジャスタボルト３を回転させて高さ調整することが可能となって、高さ調整作業がし易くなるものである。
【００３２】
次に、図７に基いて他の実施形態について説明する。本実施形態は図１乃至図６に示す実施形態と大部分において同様であるためこの同様の部分については説明を省略し、異なる部分について説明する。本実施形態においては、上方に開口する略コ字状をした支持部材２の両側片２１間の距離が短くなるようにバネ性を持たせると共に、鍔片２３を上下二段に形成してある。
【００３３】
支持部材２は、例えば鋼鈑等のバネ性を有する部材で形成してあり、側片２１の上端部の中間部に切欠を形成して該切欠の下端辺から下側の鍔片２３ｂを水平方向に連設し、側片２１の前記切欠の両側の上端辺から上側の鍔片２３ａを水平方向に連設して形成してある。上側の鍔片２３ａと下側の鍔片２３ｂとは、側面視において床パンＰの底面部１の厚み分の間隔をあけて形成してある。図中２３ｃは固着具挿通孔である。
【００３４】
この支持部材２を床パンＰの配管施工用開口部１０に取り付けるには、支持部材２の両側片２１をその間の距離が短くなるように撓ませ、両側片２１の鍔部をそれぞれ床パンＰの配管施工用開口部１０の周縁部に取付ける。これにあたっては、上側の鍔片２３ａを床パンＰの底面部１の蓋取付部１４に当接させると共に下側の鍔片２３ｂを取付部１３に当接させて、上側の鍔片２３ａと下側の鍔片２３ｂとで床パンＰの底面部１を挟持するものである。
【００３５】
このような構成とすることで、支持部材２を床パンＰの底面部１に取付けるにあたって支持部材２を撓ませると共に上側の鍔片２３ａと下側の鍔片２３ｂとで底面部１を挟持するだけで取付けが可能となり、施工が容易となってコスト削減が可能となる。
【００３６】
また、本実施形態の他例として、図８に示すように、床パンＰの底面部１の蓋取付部１４に防水パッキン７５を取り付け、その上側に蓋６を載置してビス等の固着具１４ａにて床パンＰに固定してもよい。これにより、床パンＰの底面部１の配管施工用開口部１０の防水を確実に行うことができる。
【００３７】
次に、図９に基いて更に他の実施形態について説明する。本実施形態は図１乃至図６に示す実施形態と大部分において同様であるためこの同様の部分については説明を省略し、異なる部分について説明する。本実施形態では、支持部材２の底片２２に接着剤塗布用開口２７を形成してある。
【００３８】
高さ調整脚部５のアジャスタボルト３は、その下端部の土台部３１が床下地上に載置されるのであるが、この土台部３１を床下地に固定するのに接着剤を使用している。そこで、接着剤をアジャスタボルト３の土台部３１の床下地へ塗布する作業を作業者が床パンＰの上側からし易いように、支持部材２の底片２２に接着剤塗布用開口２７を形成してこの接着剤塗布用開口２７を介して塗布することができるようにしてある。これにより、接着剤をアジャスタボルト３の土台部３１が載置されている床下地へ塗布する作業が床パンＰの上側からし易くなる。
【００３９】
次に、図１０に基いて更に他の実施形態について説明する。本実施形態は図１乃至図６に示す実施形態と大部分において同様であるためこの同様の部分については説明を省略し、異なる部分について説明する。本実施形態では、支持部材２の底片２２のアジャスタボルト３が螺合される螺合孔２６に、アジャスタボルト３を支持部材２に対して下側に移動させる際に螺合が外れて回転せずに下側に移動可能となるものである。
【００４０】
これは、支持部材２の底片２２に、アジャスタボルト３の径よりも幅が大きい貫通穴を形成する。この貫通穴は対向する内壁面２４ａが上方程短くなるように傾斜している。そして、この対向する内壁面２４ａにそれぞれ一側面が接すると共にその反対側の側面に雌ねじのねじ山が形成してある雌ねじ部材２５ａが対向するように一対配置してある。この雌ねじ部材２５ａは上方にばね付勢されており、アジャスタボルト３を一対の雌ねじ部材２５ａで挟持した状態で上方より挿入した時には、雌ねじ部材２５ａがばね付勢力に抗って内壁面２４ａに沿いながら下方に移動し、雌ねじ部材２５ａの間の距離が広がり、アジャスタボルト３は雌ねじ部材２５ａのねじ山に螺合せず回転することなく下方へ移動する。そして、アジャスタボルト３を上方に移動させる時には、貫通穴の内壁面２４ａの間隔は上方程短くなっていて雌ねじ部材２５ａは上方へは移動せず間隔も広がらないため、一対の雌ねじ部材２５ａとアジャスタボルト３は螺合した状態となり、アジャスタボルト３は通常の雌ねじと同様に回転させることで螺進可能となる。
【００４１】
本実施形態においては、アジャスタボルト３を支持部材２に対して上側に移動させる時には、アジャスタボルト３を回転して螺進させなくても移動でき、作業能率が向上し時間短縮が可能となる。
【００４２】
次に、図１１に基いて更に他の実施形態について説明する。本実施形態は図１乃至図６に示す実施形態と大部分において同様であるためこの同様の部分については説明を省略し、異なる部分について説明する。本実施形態では、高さ調整脚部５にて床パンＰを支持するにあたり、支持部材２と床パンＰとの間に中間部材８を設けるようにしたものである。
【００４３】
中間部材８は、平面視において支持部材２とほぼ同じ形状をした箱状か、あるいは側面視ロ字状の角筒状をしたもので、平面視中央部に配管Ｈが挿通される配管挿通口８０が上下に貫通形成してある。この中間部材８は、その上面を床パンＰの底面部１の取付部１３に当接されて固着具１４ａによって床パンＰに固定され、平面視で支持部材２と重なるようにその両鍔片２３に跨るように載置される。そして、配管Ｈは中間部材８の配管挿通口８０に挿通され、上述したのと同様に配管Ｈ施工が行われる。
【００４４】
このように、中間部材８を介して高さ調整脚部５にて床パンＰを支持するようにしたことで、床下深さが大幅に深くて床パンＰの床下地からの高さを大幅に高くする際、アジャスタボルト３で高さ調整できる範囲以上に高くすることができ、また、アジャスタボルト３を回転させたりするような手間がかからず中間部材８を取付けるだけで高さ調整作業を行えるものである。
【００４５】
次に、図１２に基いて更に他の実施形態について説明する。本実施形態は図１乃至図６に示す実施形態と大部分において同様であるためこの同様の部分については説明を省略し、異なる部分について説明する。図１１に示す実施形態では、床パンＰの床下地からの高さを大幅に高くしたりするにあたって中間部材８を設けているが、本実施形態では支持部材２にアジャスタボルト３が螺合される螺合孔２６から床パンＰを支持する床パンＰ支持部までの高さを調整可能とする高さ調整機構を設けてもよい。
【００４６】
これは、図１２に示すように高さ調整脚部５の側片２１から折り畳み片９１を起こして側片２１の上方へ伸長したり、あるいは側片２１からスライド片を側片２１の上方へ伸長したりしてもよい。この場合、折り畳み片９１やスライド片の外側に倒れ防止部材９２を固定して折り畳み片９１やスライド片が折れ曲ったりするのを防止する。
【００４７】
これにより、床下深さが大幅に深くて床パンＰの床下地からの高さを大幅に高くする際、アジャスタボルト３で高さ調整できる範囲以上に高くすることができ、これにあたって中間部材８のような別部材を取付ける必要がないものである。
【００４８】
また、高さ調整機構の他例として、図１３に示すように支持部材２をリンク機構９３にて上下に伸縮可能にしてもよく、これにより、床下深さが大幅に深くて床パンＰの床下地からの高さを大幅に高くする際、アジャスタボルト３で高さ調整できる範囲以上に高くすることができ、これにあたって施工現場まで折り畳んだ状態で輸送可能となって積載効率が向上する。
【図面の簡単な説明】
【００４９】
【図１】本発明の一実施形態の配管が無い場合を示し、（ａ）は施工前の要部断面図であり、（ｂ）は施工後の要部断面図である。
【図２】浴室ユニットの床パン、壁パネル、浴槽の分解斜視図である。
【図３】浴室ユニットの天井パネルの斜視図である。
【図４】同上の実施形態の配管がある場合の施工後の要部断面図である。
【図５】図４の分解斜視図である。
【図６】配管を支持部材の両側片間の配管挿通口から側方に導出させる場合の斜視図である。
【図７】本発明の他の実施形態の要部の一部切欠分解斜視図である。
【図８】同上の実施形態の他例の要部の一部切欠分解斜視図である。
【図９】本発明の更に他の実施形態の支持部材の斜視図である。
【図１０】本発明の更に他の実施形態の要部断面図である。
【図１１】本発明の更に他の実施形態の要部断面図である。
【図１２】本発明の更に他の実施形態の支持部材の斜視図である。
【図１３】同上の実施形態の他例の支持部材の断面図である。
【符号の説明】
【００５０】
１    底面部
１０  配管施工用開口部
２    支持部材
２０  配管挿通口
３    アジャスタボルト
４    ロックナット
５    高さ調整脚部
Ｐ    床パン
Ｗ    壁パネル
Ｃ    天井パネル
Ｂ    浴槽
Ｙ    浴室ユニット
Ｈ    配管
【図１】
2006152573.tif 000003
【図２】
2006152573.tif 000004
【図３】
2006152573.tif 000005
【図４】
2006152573.tif 000006
【図５】
2006152573.tif 000007
【図６】
2006152573.tif 000008
【図７】
2006152573.tif 000009
【図８】
2006152573.tif 000010
【図９】
2006152573.tif 000011
【図１０】
2006152573.tif 000012
【図１１】
2006152573.tif 000013
【図１２】
2006152573.tif 000014
【図１３】
2006152573.tif 000015